(57)【特許請求の範囲】
【請求項１】
動物の識別および安全性を高めるための該動物に着ける動物識別タグに関するものであって、
情報の読み書きが可能なＩＣモジュールと、
該ＩＣモジュールの少なくとも何れか一方の面上に配置された広角度反射性を有する反射材と、
該反射材の面上に配置された透明な印刷シートと、
前記ＩＣモジュールおよび前記反射材、前記印刷シートを覆う透明樹脂からなる外殻部とを備え、
前記ＩＣモジュールには前記動物の識別情報が記憶されており、
前記印刷シートには、前記動物の識別情報の少なくとも一部の情報が明示されること、
を特徴とする動物識別タグ。
【請求項２】
請求項１に記載の動物の識別情報は、前記動物の登録番号であることを特徴とする動物識別タグ。
【請求項３】
請求項１または２に記載の動物識別タグは、鑑札であることを特徴とする動物識別タグ。 
【発明の詳細な説明】
【技術分野】
【０００１】
本発明は、犬等の動物につける動物識別タグに関する。
【背景技術】
【０００２】
従来から動物を識別するための識別情報が記載されたタグがあり、動物に取り付けられている。このようなタグとして例えば犬の鑑札が一例である。
【０００３】
犬の所有者は、その犬の所在地を管轄する市町村長に対して登録を申請しなければない。そして、犬の所有者は、市町村長がその犬の登録の際に交付する鑑札をその犬につける義務を負い、警察署や保健所で犬が保護された場合、鑑札に表記されている登録番号により所有者を特定する。
【０００４】
しかし、市町村長が交付する鑑札では、登録番号は目視で確認するため、首輪に装置された鑑札の登録番号を確認するには犬に近づく必要があり、例えば、凶暴な犬や、狂犬病の犬、或いは、狭い配水管に挟まったりして閉所に閉じこめられた犬などのように近づきがたい状況の場合、登録番号の確認には時間と労力を必要とする。
【０００５】
また、近年では、犬が交通事故などの被害件数が増大しており、犬を家族の一員として、大切な存在であると考えている愛好家には耐え難く、安全性の向上が叫ばれている。
【特許文献１】特開２００３−１０２３１４号公報
【発明の開示】
【発明が解決しようとする課題】
【０００６】
本発明は斯かる背景技術に鑑みてなされたもので、犬に限らず動物一般について、動物の識別情報を容易に取得することができ、安全性を高める機能を有する動物識別タグを提供することを課題とするものである。
【課題を解決するための手段】
【０００７】
本発明において上記課題を達成するために、まず請求項１の発明では、動物の識別および安全性を高めるための該動物に着ける動物識別タグに関するものであって、情報の読み書きが可能なＩＣモジュールと、該ＩＣモジュールの少なくとも何れか一方の面上に配置された広角度反射性を有する反射材と、該反射材の面上に配置された透明な印刷シートと、
前記ＩＣモジュールおよび前記反射材、前記印刷シートを覆う透明樹脂からなる外殻部とを備え、前記ＩＣモジュールには前記動物の識別情報が記憶されており、前記印刷シートには、前記動物の識別情報の少なくとも一部の情報が明示されること、を特徴とする動物識別タグとしたものである。
【０００８】
また請求項２の発明では、請求項１に記載の動物の識別情報は、前記動物の登録番号であることを特徴とする動物識別タグとしたものである。
【０００９】
また請求項３の発明では、請求項１または２に記載の動物識別タグは、鑑札であることを特徴とする動物識別タグとしたものである。
【発明の効果】
【００１０】
請求項１の発明は、動物の識別情報が記憶されたＩＣモジュールを備えているので無線により、この動物の識別情報を読み取ることが可能となるため、凶暴な動物や病気の動物、或いは狭い排水管などに挟まり閉じこめられた等、近づきがたい状況下において、離れた位置からでも動物の識別情報の確認が可能であるという効果がある。また、反射材を構
成要素として備えていることで夜間における認識性が向上することで、交通事故などを防止し、動物の安全性を向上させる効果がある。
【００１１】
請求項２、３の発明は、識別情報として登録番号を備えているので、市町村長によって交付される鑑札として利用することができ、警察や保健所で犬が保護されたときなど飼い主の特定が容易に行える効果がある。
【発明を実施するための最良の形態】
【００１２】
以下に、本発明の最良の一実施形態を説明する。
【００１３】
図１に、本実施形態の動物識別タグを表側から眺めた正面図を示す。また、図２に、本実施形態の動物識別タグを、図１に示すＡ−Ａ’線で切断したときの断面を模式的に表す図を示す。
【００１４】
本実施形態の動物識別タグは、透明なＡＢＳ樹脂製の容器１内に、底から順に、色付きの反射材２、透明な接着用シート３、ＩＣモジュール４、白色の接着シート５、色付きの反射材６、透明な印刷シート７が積層され、さらに、印刷シート７の一部分に、動物の識別情報として登録番号８が記載されたシール９が貼られ、透明なＡＢＳ樹脂製の蓋１０と容器１とが接着されて容器１内が密閉されたものである。この接着は、例えば、超音波接着（融着）、樹脂製の接着剤による接着を利用して行っても良い。この接着により、防水効果が得られる。蓋１０と容器１とが接着されて一体化されたものが外殻部をなしている。
【００１５】
本実施形態の動物識別タグは、図２に示すように、蓋１０の側が表側であり、容器１の側が裏側である。
【００１６】
本実施形態の動物識別タグは、図１に示すように、首輪に付着できるように、穴１２と穴１３とが設けられている。穴１２と穴１３とは、蓋１０と容器１とに予め穴をあけておくことにより設けても良い。また、本実施形態の動物識別タグは、図１に示すように、正面の形状が、縦３５ｍｍ、横２５ｍｍである。また、本実施形態の動物識別タグは、板状である。そして、蓋１０、及び、容器１の材料として用いているＡＢＳ樹脂は、相当堅固な材料である。
【００１７】
印刷シート７は、印刷を施した透明なシートであって、例えば、本実施形態の動物識別タグを自治体が交付する場合、この自治体を識別する自治体識別情報１１が印刷されており、本実施形態の動物識別タグを表側から眺めると、蓋１０が透明なため、図１に示すように、登録番号８と自治体識別情報１１とが見える。印刷シート７の一部分に、登録番号８が記載されたシール９を貼る代わりに、印刷シート７に、登録番号８を印刷しても良い。また、印刷シート７に、自治体識別情報１１を印刷し、かつ、印刷シート７の一部分に、登録番号８が記載されたシール９を貼る代わりに、反射材６の蓋１０側の表面に、自治体識別情報１１と登録番号８とを印刷しても良い。この場合、印刷シート７はなくても良い。また、登録年月日を、印刷シート７、又は、反射材６の蓋１０側の表面に印刷するか、或は、印刷シート７の一部分に、登録年月日が記載されたシールを貼っても良い。
【００１８】
狂犬病予防法施行規則の別記様式３によれば、自治体識別情報１１は、保健所を設置する市又は特別区にあっては、市又は区名であり、保健所を設置する市以外の市町村にあっては、都道府県名に加えて市町村名を特定できる文字、数字等である。
【００１９】
以上、本実施形態の動物識別タグは、狂犬病予防法施行規則第５条及びその別記様式第３に定められている様式を満たしているか、或は、満たすようにできるので、自治体によ
って交付される犬の鑑札として使用できる。
【００２０】
印刷シート７とその一部分に貼られているシール９とは、蓋１０によって保護されているために、登録番号８は摩耗しない。
【００２１】
接着用シート３及び接着用シート５は、片面に接着剤層を有するシートであり、この接着剤層により、接着用シート３と接着用シート５とは、ＩＣモジュール４に接着され、ＩＣモジュール４を保護し容器１内に固定する役割を果たしている。
【００２２】
ＩＣモジュール４は、メモリを有するＩＣチップと、アンテナとを備え、ＩＣタグリーダ／ライタを用いて、このＩＣタグリーダ／ライタと離れていても、このメモリに無線でデータの読書きが可能なタグである。ＩＣモジュールは、無線タグ、非接触ＩＣタグ、非接触ＩＤタグ、非接触チップ、ＲＦＩＤタグなどとも呼ばれる。ＩＣモジュールのＩＣチップのメモリにデータの読書きをすることを、ＩＣモジュールにデータの読書きをするとも云う。
【００２３】
ＩＣモジュール４には、少なくとも、動物の識別情報として登録番号８が書き込まれている。また、ＩＣモジュール４には、登録番号８以外の情報、例えば、自治体識別情報１１、犬の名前、犬の血液型、狂犬病予防接種年などが書き込まれても良い。
【００２４】
ＩＣモジュール４は、両面透明ＰＥＴラミネート加工等によりパウチ（小袋）に密封されても良い。この場合、このパウチにより、ＩＣモジュール４は保護され、さらに防水性が高くなる。
【００２５】
反射材２及び反射材６に用いる反射材は、ＩＣモジュール４にデータを読書きすることに影響することなく、昼夜問わず目立つ高い視認性を有するという条件を満たすものであれば良い。例えば、材質として塩ビ及びアクリルを用い、広角度反射という特徴を持ち、蛍光イエローという色を有する反射材は、このような条件を満たす。
【００２６】
蓋１０と印刷シート７は透明で、接着用シート５は、白色で不透明なために、本実施形態の動物識別タグを表側から眺めると、印刷シート７の背後に、反射材６が見えるけれども、図１に示すように、ＩＣモジュール４は、接着用シート５に隠れて見えなくなり、登録番号等の識別性が向上する。また、容器１は透明なので、本実施形態の動物識別タグを裏側から眺めると、反射材２が見える。このため、昼夜問わず、反射材６又は反射材２が目立ち、本実施形態の動物識別タグを犬に着けると、常時、犬の存在が、明確にわかるので、交通事故などの事故を防止し、犬の安全向上に寄与する。また、反射材６又は反射材２の色、印刷シート７に施す印刷、並びに、印刷シート７の一部分に貼るシール９のデザインを工夫することにより、容易に、本実施形態の動物識別タグのデザインを向上させ見栄えを良くすることができる。従って、飼主は、本実施形態の動物識別タグを犬に装着することによるメリットを実感しやすく、その装着率が向上する。この結果、抑留犬の返還率が向上し、保健所の経費削減につながる。
【００２７】
本実施形態の動物識別タグでは、登録番号の確認は、登録番号８を目視で読み取ること以外に、ＩＣタグリーダを用いて、ＩＣモジュール４から、登録番号を無線で読み出し、ＩＣタグリーダそのもの、或は、パソコンなどのコンピュータに表示することにより行えるため、登録番号の確認にかかる手間と時間の節約につながる。そのため、例えば、狂犬病予防接種時の出欠確認が簡便になる。また、ＩＣタグリーダは、ＩＣモジュール４から離れていても、ＩＣモジュール４から登録番号が読み取れるために、狂暴な犬や狂犬病の犬、或は、狭い配水管に挟まったりして閉所に閉じ込められた犬などのように、近付き難い犬に、近付かなくても離れた位置から登録番号の確認が可能になる。
【００２８】
自治体が本実施形態の動物識別タグを犬の鑑札として採用すれば、話題を呼び、自治体の良いＰＲになるかもしれない。自治体が本実施形態の動物識別タグを犬の鑑札として採用し、この自治体が、登録犬について、登録年月日、登録番号、所有者の氏名及び住所、犬の所在地、犬の種類、犬の生年月日、犬の毛色、犬の性別、犬の名など、狂犬病予防法施行規則第４条により原簿に記載が義務付けられている登録情報を、コンピュータを利用したデータベース（以後、登録犬データベースと云う）に保管している場合、この自治体にてＩＣタグリーダで、本実施形態の動物識別タグのＩＣモジュール４から登録番号を読み取ることにより、登録番号を持つ犬の登録情報を検索する業務の効率を向上させることができる。これにより、抑留犬を登録した自治体の保健所に抑留されている抑留犬の登録情報が、この保健所で容易に検索でき、抑留犬の変換率がさらに向上する。
【００２９】
本実施形態の動物識別タグを採用する自治体が増え、各自治体の登録犬データベースがインターネットを介して接続されるようになれば、各自治体にてＩＣタグリーダで、本実施形態の動物識別タグのＩＣモジュール４から登録番号と自治体識別番号とを読み取り、この登録番号で犬を登録した自治体（この登録番号と一緒に読み取った自治体識別番号で識別される自治体）の登録犬データベースから、この登録番号を持つ犬の登録情報を検索することも可能になる。これにより、抑留犬を登録した自治体とは異なる自治体の保健所に抑留されている抑留犬の登録情報が、この保健所で容易に検索でき、抑留犬の変換率がさらに向上する。
【００３０】
最後に、本実施形態の動物識別タグを利用する一形態として、登録犬情報提供サーバを説明する。登録犬情報提供サーバは、図３に示すように、インターネットに接続されている。また、インターネットには、図３に示すように、各自治体の登録犬データベースと、ＩＣタグリーダを備える端末とが接続されているものとする。この端末は、パソコンなどのコンピュータ、或は、携帯電話機などの携帯端末である。
【００３１】
登録犬情報提供サーバは、少なくとも、各自治体の登録犬データベースへのＵＲＬと、各登録番号の変更履歴とが保管されているコンピュータシステムである。登録番号の変更は、例えば、犬の所在地を、ある自治体の管轄地から、他の自治体の管轄地に変更した場合に生じる（狂犬病予防法施行令第２条の２第２項）。
【００３２】
端末のＩＣタグリーダを用いて、本実施形態の動物識別タグのＩＣモジュール４から、登録番号と自治体識別番号とを読み取り、この登録番号と自治体識別番号とを、この端末から、登録犬情報提供サーバに送ると、登録犬情報提供サーバは、この登録番号と自治体識別番号とを受け取り、この登録番号の変更履歴を参照する。
【００３３】
この参照の結果、今まで登録番号に変更がなかった場合、図４に示すように、端末から送られた登録番号と、この登録番号で犬を登録した自治体（この登録番号と一緒に端末から送られた自治体識別番号で識別される自治体）の登録犬データベースへのリンクとの対を表示するＷｅｂ画面を、端末に表示する。自治体の登録犬データベースへのリンクには、このデータベースへのＵＲＬが埋め込まれている。図４に示すＷｅｂ画面では、登録番号１２３４５６７３と、この登録番号１２３４５６７３を登録した自治体Ａの登録犬データベースへのリンク２１との対が表示され、このリンク２１には、このデータベースへのＵＲＬが埋め込まれている。
【００３４】
他方、この参照の結果、今までに登録番号の変更があった場合、図５に示すように、端末から送られた登録番号と、この登録番号で犬を登録した自治体（この登録番号と一緒に端末から送られた自治体識別番号で識別される自治体）の登録犬データベースへのリンクとの対と、端末から送られた登録番号の変更前後の登録番号と、この変更前後の登録番号
で犬を登録した自治体の登録犬データベースへのリンクとの対とを表示するＷｅｂ画面を、端末に表示する。各自治体の登録犬データベースへのリンクには、それぞれのデータベースへのＵＲＬが埋め込まれている。図５に示すＷｅｂ画面では、登録番号１２３４５６７３と、この登録番号１２３４５６７３を登録した自治体Ａの登録犬データベースへのリンク２１との対と、登録番号１２３４５６７３の変更前の登録番号２３２３２３２３と、この登録番号２３２３２３２３を登録した自治体Ｂの登録犬データベースへのリンク２２との対とが表示され、自治体Ａの登録犬データベースへのリンク２１には、自治体Ａの登録犬データベースへのＵＲＬが埋め込まれ、自治体Ｂの登録犬データベースへのリンク２２には、自治体Ｂの登録犬データベースへのＵＲＬが埋め込まれている。
【００３５】
Ｗｅｂ画面において、自治体の登録データベースへのリンクを、マウスなどでクリックすると、端末は、この自治体の登録データベースへのリンクと対になっている登録番号を持つ犬の登録情報を、この自治体の登録データベースから検索して表示する。例えば、図４又は図５に示すＷｅｂ画面において、自治体Ａの登録データベースへのリンク２１を、マウスなどでクリックすると、端末は、登録番号１２３４５６７８を持つ犬の登録情報を、自治体Ａの登録データベースから検索して表示する。また例えば、図５に示すＷｅｂ画面において、自治体Ｂの登録データベースへのリンク２２を、マウスなどでクリックすると、端末は、登録番号２３２３２３２３を持つ犬の登録情報を、自治体Ｂの登録データベースから検索して表示する。
【００３６】
従って、登録犬情報提供サーバは、一般の人でも、迷子犬を見つけた場合、この迷子犬が本実施形態の動物識別タグを着けていれば、この迷子犬の飼主を容易に見つけることができ、この迷子犬を飼主に渡すことができるという効果がある。
【図面の簡単な説明】
【００３７】
【図１】本実施形態の動物識別タグを表側から眺めた正面図。
【図２】本実施形態の動物識別タグを、図１に示すＡ−Ａ’線で切断したときの断面を模式的に表す図。
【図３】登録犬情報提供サーバを含むシステム全体の構成例を示す図。
【図４】登録番号が変更により得られたものでない場合に端末に表示されるＷｅｂ画面の例を示す図。
【図５】登録番号に変更により得られたものである場合に端末に表示されるＷｅｂ画面の例を示す図。
【符号の説明】
【００３８】
１…容器
２…反射材
３…接着用シート
４…ＩＣモジュール
５…接着用シート
６…反射材
７…印刷シート
８…登録番号
９…シール
１０…蓋
１１…自治体識別情報
１２…穴
１３…穴
２１…自治体Ａの登録犬データベースへのリンク
２２…自治体Ｂの登録犬データベースへのリンク
【図１】
0004701880.tif 000002
【図２】
0004701880.tif 000003
【図３】
0004701880.tif 000004
【図４】
0004701880.tif 000005
【図５】
0004701880.tif 000006